(57)【要約】【課題】ロール紙繰り出し切断容器の軽量化を促進するとともに、容器に対するロール紙の出し入れとロール紙の繰り出しおよびその切断とを迅速容易、かつ確実に実行可能となした投げ込み式のロール紙繰り出し切断容器を安価に多量製造可能とすること。【解決手段】上部開放の容器１内に収納したロール紙２の繰り出し部分２Ａを上蓋３の前辺下面３Ａと容器前辺１Ａとで、繰り出し中のロール紙が妄りに千切れない程度に挟圧してロール紙繰り出し部分２Ａを上蓋３の前辺刃先４で切断可能となしたロール紙繰り出し切断容器を作るに当たり、前記容器１の後面板１Ｃに前記上蓋３の枢支部３Ｂを経た後部係止縁３Ｃに係合する開蓋保持弾片５と閉蓋加圧弾片６とを突設し、前記開蓋保持弾片５の弾力で開蓋状態にある上蓋３の前倒を防止し、前記閉蓋加圧弾片６の加圧弾力で閉じた上蓋３をロール紙切断力では浮上させない程度で、かつ切断後の容器内ロール紙反転による容器外ロール紙繰り出し部分２Ａの容器内引き込みを阻止する程度にそれぞれ前記上蓋３の閉蓋状態を確保した。【選択図】　図１
2004141531.tif 000002
【特許請求の範囲】
【請求項１】
上部開放の容器１内に収納したロール紙２の繰り出し部分２Ａを容器前辺１Ａから手前に引き出し、その上から容器開口縁１Ｂに後部枢支の上蓋３を被せ、その前辺下面３Ａと容器前辺１Ａとで繰り出し中のロール紙２を妄りに千切れない程度に挟圧し、その繰り出し部分２Ａを上蓋３の前辺刃先４で切断可能となしたロール紙繰り出し切断容器において、前記容器１の後面板１Ｃに前記上蓋３の枢支部３Ｂを経た後部係止縁３Ｃに係合する開蓋保持弾片５と閉蓋加圧弾片６とをそれぞれ突設し、前記開蓋保持弾片５の弾力で開蓋状態にある上蓋３の前倒を防止するとともに、前記閉蓋加圧弾片６の加圧弾力で閉じた上蓋３をロール紙切断力では浮上させない程度で、かつ、切断後の容器内ロール紙反転による容器外ロール紙繰り出し部分２Ａの容器内引き込みを阻止する程度にそれぞれ前記上蓋３の閉蓋状態を確保してなるロール紙繰り出し切断容器。
【請求項２】
上部開放の容器１内に収納したロール紙２の繰り出し部分２Ａを容器前辺１Ａから手前に引き出し、その上から容器開口縁１Ｂに後部枢支の上蓋３を被せ、その前辺下面３Ａと容器前辺１Ａとで繰り出し中のロール紙２を妄りに千切れない程度に挟圧し、その繰り出し部分２Ａを上蓋３の前辺刃先４で切断可能となしたロール紙繰り出し切断容器において、前記容器１をプラスチックで成形して作り、その後面板１Ｃの内面にプラスチック固有の弾力による開蓋保持弾片５と閉蓋加圧弾片６とをそれぞれ一体突設し、前記開蓋保持弾片５の弾力で開蓋状態にある上蓋３の前倒を防止するとともに、前記閉蓋加圧弾片６の加圧弾力で閉じた上蓋３をロール紙切断力では浮上させない程度で、かつ、切断後の容器内ロール紙反転による容器外ロール紙繰り出し部分２Ａの容器内引き込みを阻止する程度にそれぞれ前記上蓋３の閉蓋状態を確保してなるロール紙繰り出し切断容器。
【請求項３】
上部開放の容器１内に収納したロール紙２の繰り出し部分２Ａを容器前辺１Ａから手前に引き出し、その上から容器開口縁１Ｂに後部枢支の上蓋３を被せ、その前辺下面３Ａと容器前辺１Ａとで繰り出し中のロール紙２を妄りに千切れない程度に挟圧し、その繰り出し部分２Ａを上蓋３の前辺刃先４で切断可能となしたロール紙繰り出し切断容器において、前記上蓋３の枢支部３Ｂを経た後部係止縁３Ｃに係合する開蓋保持弾片５と閉蓋加圧弾片６とを突設した弾性プラスチック製の弾片形成部材７を容器後面板１Ｃに定着し、前記開蓋保持弾片５の弾力で開蓋状態にある上蓋３の前倒を防止するとともに、前記閉蓋加圧弾片６の加圧弾力で閉じた上蓋３をロール紙切断力では浮上させない程度で、かつ、切断後の容器内ロール紙反転による容器外ロール紙繰り出し部分２Ａの容器内引き込みを阻止する程度にそれぞれ前記上蓋３の閉蓋状態を確保してなるロール紙繰り出し切断容器。
【請求項４】
上部開放の容器１内に収納したロール紙２の繰り出し部分２Ａを容器前辺１Ａから手前に引き出し、その上から容器開口縁１Ｂに後部枢支の上蓋３を被せ、その前辺下面３Ａと容器前辺１Ａとで繰り出し中のロール紙２を妄りに千切れない程度に挟圧し、その繰り出し部分２Ａを上蓋３の前辺刃先４で切断可能となしたロール紙繰り出し切断容器において、前記上蓋３の枢支部３Ｂを経た後部係止縁３Ｃに係合する開蓋保持弾片５と閉蓋加圧弾片６とを突設した弾性プラスチック製の弾片形成部材７をその係止鉤片７Ａで容器後面板１Ｃの係止孔縁１Ｄに係止定着し、前記開蓋保持弾片５の弾力で開蓋状態にある上蓋３の前倒を防止するとともに、前記閉蓋加圧弾片６の加圧弾力で閉じた上蓋３をロール紙切断力では浮上させない程度で、かつ、切断後の容器内ロール紙反転による容器外ロール紙繰り出し部分２Ａの容器内引き込みを阻止する程度にそれぞれ前記上蓋３の閉蓋状態を確保してなるロール紙繰り出し切断容器。
【請求項５】
前記容器１と上蓋３との側面形状をそれぞれほぼ半円形となした請求項１から請求項４までのいずれか一つの請求項に記載のロール紙繰り出し切断容器。
【請求項６】
前記上蓋前辺３Ａの内面に複数の縦リブ３Ｄを並列突設してなる請求項１から請求項５までのいずれか一つの請求項に記載のロール紙繰り出し切断容器。
【請求項７】
前記上蓋３の前辺刃先４として、ポリエステル・エラストマなどの柔軟で表面摩擦が大きい可撓弾性プラスチックで櫛歯状に成形した刃先を用いた請求項１から請求項６までのいずれか一つの請求項に記載のロール紙繰り出し切断容器。
【請求項８】
前記閉蓋加圧弾片６に前下がり斜面６Ａを形成し、この斜面を上蓋３の後部係止縁３Ｃに係合可能に構成してなる請求項１から請求項７までのいずれか一つの請求項に記載のロール紙繰り出し切断容器。
【発明の詳細な説明】
【０００１】
【発明の属する技術分野】
この発明は、ロール紙または、これに近似したロール巻きシートやフィルムなどを投げ込み式に収納でき、これらを繰り出して切断できるロール紙繰り出し切断容器に係り、特に本発明では、上記容器に対するロール紙の出し入れとロール紙の繰り出しおよびその切断とを迅速容易、かつ、確実に実行可能となしたロール紙繰り出し切断容器に関する。
【０００２】
【従来の技術】
従来の投げ込み収納式のロール紙繰り出し切断容器としては、特開平８−１９６４６７号公報や実開平５−８２３９３号公報記載のものなどが周知である。
これらの各従来の技術は、いずれも、後面を壁面などに定着設置して使用する上部開放の投げ込み収納式の容器内にロール紙を投げ込んで収納した後、このロール紙の繰り出し部分を容器前辺から手前に引き出し定位するとともに、前記容器の後部で枢支した上蓋をその自重または、錘の重力で容器開口縁に被せ、この上蓋下部と容器前辺とで前記繰り出し部分を挟み付けて所望のブレーキを掛け、ロール紙の繰り出し牽引力を所望値になるように設定することで、この繰り出し部分を容器または、上蓋の前辺に横設した刃先でカットできるとしたロール紙繰り出し切断容器である。
【０００３】
【発明が解決しようとする課題】
これら各従来例を初めとして従来の投げ込み収納式のロール紙繰り出し切断容器は、一般に、前記容器の後部で枢支した上蓋をその自重、または錘の重力で容器の開口縁に被せて前記のように使用するものだから、容器開口縁に被せた前記上蓋の下部と容器前辺とで前記繰り出し部分を挟み所望のブレーキを掛けることと、閉蓋状態にある上蓋が妄りに動かないようにするには、上蓋自体または、上記錘付き上蓋をそれぞれ重くする必要があり、ロール紙繰り出し切断容器全体としてもかなりの重量物となってしまうという本質的な問題点が有るし、容器内にロール紙を収納するときやロール紙空心を容器から取り出すときのように、上蓋がほぼ直立の開蓋状態にある場合には、この直立上蓋が極めて倒れ易く、手指で押さえてないと僅かな振動や衝撃などの僅少外乱でも、上記重い上蓋が容器開口縁に向かい大きく「バタン」と倒れ、手指に強い衝撃を与える結果となり、怪我する危険も有るという本質的かつ、大きな問題点が有る。
【０００４】
この他の従来例として、実開昭６１−１０９３９０号公報記載のように、ロール紙繰り出し部分をカットする容器前辺の反対側の容器後側に上蓋を大きく回動させて開蓋する卓上タイプものも有るが、これでは、容器後面を壁面などに定着設置して使用することができず、容器後面を壁面などに定着して使用するには、この従来例公報第５図とその説明のように、容器上蓋を容器本体から分離できる着脱式の被せ蓋とする必要があり、この被せ蓋は分離紛失し易いし、その保管や取り扱いも面倒で厄介であるという本質的かつ、大きな問題点が有る。
【０００５】
この発明は、上記多くの問題点をすべて解決するために、ロール紙または、これに近似したロール巻きシートやフィルムなどを投げ込み収納してこれらを繰り出し切断できるロール紙繰り出し切断容器の軽量化を促進するとともに、容器に対するロール紙の出し入れとロール紙の繰り出しおよびその切断とを迅速容易、かつ確実に実行可能となした投げ込み式のロール紙繰り出し切断容器を多量製造可能とすることを目的とする。
【０００６】
【課題を解決するための手段】
上記したこの発明の目的は、上部開放の容器内に収納したロール紙の繰り出し部分を容器前辺から手前に引き出し、その上から容器開口縁に後部枢支の上蓋を被せ、その前辺下面と容器前辺とで繰り出し中のロール紙を妄りに千切れない程度に挟圧し、その繰り出し部分を上蓋の前辺刃先で切断可能となしたロール紙繰り出し切断容器を作るに当たり、前記容器の後面板に前記上蓋の枢支部を経た後部係止縁に係合する開蓋保持弾片と閉蓋加圧弾片とをそれぞれ突設し、前記開蓋保持弾片の弾力で開蓋状態にある上蓋の前倒を防止するとともに、前記閉蓋加圧弾片の加圧弾力で閉じた上蓋をロール紙切断力では浮上させない程度で、かつ切断後の容器内ロール紙反転による容器外ロール紙繰り出し部分の容器内引き込みを阻止する程度にそれぞれ前記上蓋の閉蓋状態を確保したことで達成できた。
【０００７】
【発明の実施の形態】
本発明の実施の形態例について図面を参照して説明する。
この発明の基本的な実施形態の一例としては、図１のようにトイレの壁面などに定着設置して使用する金属やプラスチックなどで側面ほぼ半円形に作った上部開放の容器１内にロール紙２を同図鎖線のように投げ込み式に収納してこの繰り出し部分２Ａを容器前辺１Ａから手前に引き出し定位するとともに、容器開口縁１Ｂの後部に枢支部３Ｂで枢支した側面ほぼ半円形の上蓋３を図２および図３のように被せ、その前辺下面３Ａと容器前辺１Ａとで、前記繰り出し部分２Ａを図３のように挟圧し、繰り出し中のロール紙２が千切れない程度で、ロール紙切断力では上蓋３が妄りに浮上せず、かつ、切断後の容器内ロール紙反転による容器外ロール紙繰り出し部分の容器内引き込みを阻止する程度にそれぞれ図３のように挟圧し、この繰り出し部分２Ａを前記上蓋３を押さえずにその前辺刃先４で上記図２のように片手切断可能となしたロール紙繰り出し切断容器である。
【０００８】
その具体的実施形態の一例として本発明では、図１および図４のような開蓋状態にある上蓋３が妄りに倒れないようにするためと、前記ロール紙繰り出し部分２Ａを上蓋前辺下面３Ａまたは、縦リブ３Ｄの下部と容器前辺１Ａとで前記図３のように繰り出し中のロール紙が千切れない程度に挟圧することで、この繰り出し部分２Ａを前記上蓋３の前辺刃先４で図２のように切断可能にするために、それぞれ前記上蓋３の枢支部３Ｂを経た後部係止縁３Ｃに係合する開蓋保持弾片５と、前下がり斜面６Ａ付きの閉蓋加圧弾片６や斜め上に弾撥する閉蓋加圧弾片６とをそれぞれ図３、図４のように容器後面板１Ｃの内面に前向き突設する。
この突設手段の一例としては、上記開蓋保持弾片５と閉蓋加圧弾片６とをそれぞれ一体突設した図５および図６のような弾性プラスチック製の弾片形成部材７の係止鉤片７Ａをその固有弾力に抗して図６のような容器後面板１Ｃの係止孔縁１Ｄ内に係入後、この係止孔縁１Ｄに前記係止鉤片７Ａを復帰させ係止することで、容器後面板１Ｃに前記弾片形成部材７を図５および図７のように定着して図１および図２のような本発明によるロール紙繰り出し切断容器を構成できた。
【０００９】
ただし、前記開蓋保持弾片５の弾力は、図４のような開蓋状態にある上蓋３が妄りに倒れない程度とし、また閉蓋加圧弾片６の前下がり斜面６Ａまたは、斜め上に弾撥する弾片６自体による上蓋３の後部係止縁３Ｃに対する上向き加圧強度、つまり上蓋枢支部３Ｂを経た上蓋３の下向き閉蓋加圧強度は、繰り出し中のロール紙が千切れず、図２および図３のような閉蓋状態にある上蓋３がロール紙切断力では図２のように妄りに浮上せず、切断後の容器内ロール紙反転による容器外ロール紙繰り出し部分２Ａが容器内ロール紙２の反転力で容器内に引き込まれない程度に設定し、上蓋３の閉蓋加圧状態を確保できるようにする。　なお、各図中、符号３Ｅて示す部分は、ロール紙２の両側を案内するガイド片である。
【００１０】
本発明の全体的な構成は以上のようなもので、以下本発明におけるロール紙繰り出し切断容器の実際的な使用動作例について説明する。
先ず、図１および図４ような開蓋保持弾片５の弾力で開蓋状態にある容器１内にロール紙２を例えば投げ込み式に収納し、その繰り出し部分２Ａを同図鎖線のように容器前辺１Ａから手前に引き出し定位した後、容器開口縁１Ｂの後部に枢支部３Ｂで枢支した図１および図４のような開蓋状態にある上蓋３を先ず、その後部係止縁３Ｃに係合している開蓋保持弾片５の弾力に抗し、図８の矢示方向に向かう順序を経て下向きに閉じ始め、上蓋３が閉じ終わる直前になると、今度は、上蓋３とは反対向きにテコの原理により上向き回動する上蓋後部係止縁３Ｃに閉蓋加圧弾片６がその弾力に抗し、図９の矢示方向に向かう順序を経て係合し、閉蓋加圧弾片６の前下がり斜面６Ａまたは、斜め上に弾撥する弾片６自体が上蓋３の後部係止縁３Ｃを押し下げる手前方向に弾接加圧係合した状態で図２および図３のように上蓋３を容器開口縁１Ｂに加圧して被せ終えることができる。
【００１１】
この被せ終えた上蓋３の後部係止縁３Ｃには、閉蓋加圧弾片６の前下がり斜面６Ａまたは、斜め上に弾撥する弾片６自体によるかなり強い閉蓋加圧弾力が引き続き加わっているため、テコの原理により枢支部３Ｂを経た上蓋３の自重による閉蓋力と共に上蓋前辺下面３Ａ（縦リブ３Ｄの下面）と容器前辺１Ａの上面とで前記ロール紙繰り出し部分２Ａを図３および図８のように引き出し途中の繰り出しロール紙２が千切れない程度に挟圧できるとともに、前記閉蓋加圧弾片６の閉蓋加圧弾力で図２および図３のように閉じた上蓋３をロール紙切断力では浮上させない程度で、かつ、切断後の容器内ロール紙反転による容器外ロール紙繰り出し部分２Ａの容器内引き込みを阻止できる程度にそれぞれ前記上蓋３の閉蓋状態を確保でき、前記ロール紙繰り出し部分２Ａを前記上蓋３の前辺刃先４で上記図２のように切断して使用でき、この切断後には、図３のように上記前辺刃先４の下部にロール紙２の次回使用のためのロール紙摘み代２Ｂがてきている。
【００１２】
その後、容器１内のロール紙２を図１０のように使い終えたら、使用済のロール紙芯管２Ｃを容器１内から取り除き、新しいロール紙２を容器１内に投げ込み収納するのであるが、このときには、同図１０のような閉蓋状態にある上蓋３をその自重および前記閉蓋加圧弾片６および開蓋保持弾片５の各弾力に抗して図９および図８における各矢示方向とは反対向きの順序を経て図１および図４のようにほぼ直立開蓋でき、この開蓋状態にある上蓋３は前記のように、その後部係止縁３Ｃが開蓋保持弾片５の復帰弾力で弾撥支持状態にあるから、上記開蓋状態にある上蓋３は、妄りに倒れることはなく安心して容器１内の空の芯管２Ｃを取り出し、新しいロール紙２と交換でき、その繰り出し部分２Ａを前記のように容器前辺１Ａから手前に引き出し定位した後、容器開口縁１Ｂに上蓋３を前記図３のように被せることで、上記新しいロール紙２を前記と同様に使用できる。
【００１３】
【実施例】
本発明に用いる前記開蓋保持弾片５および閉蓋加圧弾片６との突設手段は、前記のように、上記各弾片５、６をそれぞれ一体突設した弾性プラスチック製の弾片形成部材７の係止鉤片７Ａをその固有弾力に抗して容器後面板１Ｃの係止孔縁１Ｄ内に係入後、この係止孔縁１Ｄに前記係止鉤片７Ａを原状復帰させて係止することで、容器後面板１Ｃに前記弾片形成部材７を定着するとした前記のような突設手段以外に、例えば上記各弾片５、６をゼンマイ鋼などの強弾性材で作り、これらをそれぞれ容器後面板１Ｃの内面にねじ止めや接着とかインサート成形などの固定手段で突設してもよく、また、上記各弾片５、６を例えばプラスチック容器１の成形時に容器後面板１Ｃに強弾性プラスチック材による二色一体成形により突設してもよく、さらに、上記各弾片５、６をそれぞれ一体突設した弾片形成部材７は、容器後面板１Ｃにねじ止めや接着などの固定手段で定着することで、上記各弾片５、６を容器後面板１Ｃに突設してもよい。
【００１４】
なお、前記容器１と上蓋３との側面形状をそれぞれほぼ半円形とすることで、より一層小型軽量、かつ、スマートなロール紙繰り出し切断容器となるし、また前記上蓋３の前辺下面３Ａに前記ロール紙２の周方向に沿わせて複数の縦リブ３Ｄを並列突設することで、ロール紙２の繰り出し部分２Ａを挟圧部分がスポット的に分散するため、ロール紙２の繰り出し案内のスムース化と、その千切れ防止とがそれぞれより一層確実になったし、前記上蓋３の前辺刃先４としては、ポリエステル・エラストマなどの手指に優しく柔軟で表面摩擦が大きい可撓弾性プラスチックで櫛歯状に射出成形した柔軟な刃先板を取着して用いてもよい。
【００１５】
【発明の効果】
本発明は、以上のような形態を採用したので、以下に記載の効果を奏する。
本発明における請求項１の発明によれば、上部開放の容器１内に収納したロール紙２の繰り出し部分２Ａを容器前辺１Ａから手前に引き出し、その上から容器開口縁１Ｂに後部枢支の上蓋３を被せ、その前辺下面３Ａと容器前辺１Ａとで繰り出し中のロール紙２を妄りに千切れない程度に挟圧し、その繰り出し部分２Ａを上蓋３の前辺刃先４で切断可能となしたロール紙繰り出し切断容器を作るに当たり、前記容器１の後面板１Ｃに前記上蓋３の枢支部３Ｂを経た後部係止縁３Ｃに係合する開蓋保持弾片５と閉蓋加圧弾片６とをそれぞれ突設し、前記開蓋保持弾片５の弾力で開蓋状態にある上蓋３の前倒を防止するとともに、前記閉蓋加圧弾片６の加圧弾力で閉じた上蓋３をロール紙切断力では浮上させない程度で、かつ、切断後の容器内ロール紙反転による容器外ロール紙繰り出し部分２Ａの容器内引き込みを阻止する程度にそれぞれ前記上蓋３の閉蓋状態を確保できた。
【００１６】
したがって、本発明における請求項１の発明によれば、前記従来例のような重い上蓋や錘付きの上蓋を用いなくても、本発明では、前記閉蓋加圧弾片６により上蓋前辺下面３Ａと容器前辺１Ａとで前記ロール紙または、これに近似したロール巻きシートやフィルムなどの繰り出し途中部分を千切れない程度に挟圧して上蓋３の上動を制限することができ、上記ロール紙などを迅速容易、かつ確実に繰り出し切断でき、しかも切断後の容器内ロール紙反転による容器外ロール紙繰り出し部分２Ａの容器内引き込みを阻止できるロール紙繰り出し切断容器とすることができ、その軽量化を促進できるとともに、容器１に対する上蓋３の開蓋状態を開蓋保持弾片５で確保できるから、ロール紙２などの出し入れに当たり、上蓋３が邪魔にならず、結局、ロール紙２などの出し入れとロール紙２の繰り出しおよびその切断とを迅速容易、かつ確実に実行可能となした投げ込み式のロール紙繰り出し切断容器を安価に多量製造することができたという効果が有る。
【００１７】
本発明における請求項２の発明によれば、前記諸効果に加え、前記容器１をプラスチックで成形して作り、その後面板１Ｃの内面にプラスチック固有の弾力による開蓋保持弾片５と閉蓋加圧弾片６とをそれぞれ一体突設したので、ロール紙繰り出し切断容器としての製造作業性を高めることができ、より一層安価に多量製造することができたという効果を付加できた。
【００１８】
本発明による請求項３の発明によれば、前記諸効果に加え、前記上蓋３の枢支部３Ｂを経た後部係止縁３Ｃに係合する開蓋保持弾片５と閉蓋加圧弾片６とを突設した弾性プラスチック製の弾片形成部材７を容器後面板１Ｃに定着したのて、前記容器１を金属や弾力の少ない安価なプラスチックで作ることができ、より一層経済的に実施てきるという効果を付加できた。
【００１９】
本発明における請求項４の発明によれば、前記諸効果に加え、前記上蓋３の枢支部３Ｂを経た後部係止縁３Ｃに係合する開蓋保持弾片５と閉蓋加圧弾片６とを突設した弾性プラスチック製の弾片形成部材７をその係止鉤片７Ａで容器後面板１Ｃの係止孔縁１Ｄに係止定着したのて、前記容器１を金属や弾力の少ない安価なプラスチックで作ることができ、より一層経済的に実施できるとともに、ロール紙繰り出し切断容器としての製造作業性を一段と高めることができ、より一層安価に多量製造することができるという効果を付加できた。
【００２０】
本発明における請求項５の発明によれば、前記諸効果に加え、前記容器１と上蓋３との側面形状をそれぞれほぼ半円形となしたので、より一層小型軽量かつ、スマートに実施できるという効果を付加できた。
【００２１】
本発明による請求項６の発明によれば、前記諸効果に加え、前記上蓋前辺３Ａの内面に複数の縦リブ３Ｄを並列突設したので、これらの縦リブ３Ｄと容器前辺１Ａとで前記ロール紙または、これに近似したロール巻きシートやフィルムなど繰り出し部分２Ａを上記縦リブ３Ｄで繰り出し方向に案内しながら千切れない程度により一層確実に繰り出し部分２Ａを挟圧して繰り出し上蓋３の上動を制限することができ、したがって、上記ロール紙などを無造作に容易、かつ確実に繰り出し切断できるロール紙繰り出し切断容器を安価に多量製造することができるというを効果を付加できた。
【００２２】
本発明による請求項７の発明によれば、前記諸効果に加え、前記上蓋３の前辺刃先４として、ポリエステル・エラストマなどの柔軟で表面摩擦が大きい可撓弾性プラスチックで櫛歯状に成形した刃先としたのて、ロール紙２の切断能力を損なうことなく、手指に優しくなり一層安全となるというを効果を付加できた。
【００２３】
本発明による請求項８の発明によれば、前記諸効果に加え前記閉蓋加圧弾片６に前下がり斜面６Ａを形成し、この斜面を上蓋３の後部係止縁３Ｃに係合可能に構成したので、閉蓋加圧弾片６を形成し易くできるという効果を付加できた。
【図面の簡単な説明】
【図１】本発明によるロール紙繰り出し切断容器の開蓋例を示す斜視図
【図２】本発明によるロール紙繰り出し切断容器の使用状態を示す斜視図
【図３】本発明によるロール紙繰り出し切断容器の使用状態を示す縦断側面図
【図４】図３に示すものと状態を異にした縦断側面図
【図５】図１に示すものの要部切欠斜視図
【図６】本発明による容器後部に弾片形成部材を取着する例を示す斜視図
【図７】図１に示すものの後部を示す斜視図
【図８】本発明による上蓋と開蓋保持弾片との関係を示す要部拡大断面図
【図９】本発明による上蓋と閉蓋加圧弾片との関係を示す要部拡大断面図
【図１０】図３に示すものと状態を異にした縦断側面図
【符号の説明】
１　　容器
１Ａ　容器前辺
１Ｂ　容器開口縁
１Ｃ　容器後面板
１Ｄ　容器後面板の係止孔縁
２　　ロール紙
２Ａ　ロール紙繰り出し部分
２Ｂ　ロール紙摘み代
２Ｃ　ロール紙芯管
３　　上蓋
３Ａ　上蓋前辺下面
３Ｂ　上蓋枢支部
３Ｃ　上蓋後部係止縁
３Ｄ　上蓋前辺下面の縦リブ
４　　上蓋の前辺刃先
５　　開蓋保持弾片
６　　閉蓋加圧弾片
６Ａ　閉蓋加圧弾片の前下がり斜面
７　　弾片形成部材
７Ａ　弾片形成部材の係止鉤片
【図１】
2004141531.tif 000003
【図２】
2004141531.tif 000004
【図３】
2004141531.tif 000005
【図４】
2004141531.tif 000006
【図５】
2004141531.tif 000007
【図６】
2004141531.tif 000008
【図７】
2004141531.tif 000009
【図８】
2004141531.tif 000010
【図９】
2004141531.tif 000011
【図１０】
2004141531.tif 000012